(57)【要約】      （修正有）【課題】ユーザが保持していなくても本や手帳のページに取り付けて所望の場所を照らすことができると共に、非使用時には、しおりとして用いることができ、利便性を向上させることができる人形型ライトを提供する。【解決手段】人形型で、頭部１にＬＥＤ６１，６２を備え、少なくとも胴体部３が曲げ伸ばし可能で、ＬＥＤ６１，６２の照射方向が調整可能となっており、胴体部３と腕部４１，４２との間の隙間部４３，４４に本や手帳のページを挟むことにより、本や手帳に当該人形型ライトを取り付けて固定でき、その状態で前傾させてＬＥＤ６１，６２の光を本や手帳のページに向けて所望の場所を照らし、更に、本を閉じた際にはそのまましおりとして使用することができる人形型ライトである。【選択図】図１
0003182476.tif 000002
【実用新案登録請求の範囲】
【請求項１】
人形型のライトであって、
ＬＥＤライトを有する頭部と、首部と、胴体部と、腕部と、脚部とを備え、
前記腕部と前記胴体部との間に隙間部を備え、
前記ＬＥＤライトの照射方向が調整可能となるよう、少なくとも胴体部が曲げ伸ばし可能であることを特徴とする人形型ライト。
【請求項２】
左右の腕部が、それぞれ独立に曲げ伸ばし可能であることを特徴とする請求項１記載の人形型ライト。
【請求項３】
ＬＥＤライトは、人形の目に相当する部分に２個設けられていることを特徴とする請求項１又は２記載の人形型ライト。
【請求項４】
ＬＥＤライトをオン／オフするスイッチは、頭部の、前記ＬＥＤが設けられている面の裏側に設けられていることを特徴とする請求項１乃至３のいずれか記載の人形型ライト。
【請求項５】
人形の胴体部、腕部及び脚部の内部に曲げ伸ばし可能な金属板が埋め込まれていることを特徴とする請求項１乃至４のいずれか記載の人形型ライト。
【請求項６】
胴体部に設けられている金属板は、中央部に穴が形成されていることを特徴とする請求項５記載の人形型ライト。
【考案の詳細な説明】
【技術分野】
【０００１】
本考案は、人形型の携帯用ライトに係り、特に、手帳や本のページに取り付け可能で、ユーザが保持しなくても手帳や本の所望の場所を照らすことができると共に、しおりとしても用いることができ、利便性を向上させることができる人形型ライトに関する。
【背景技術】
【０００２】
［先行技術の説明］
従来、小型で持ち運び可能な携帯用ライトとしては、懐中電灯や、小型のペンライトがあった。
ペンライトに関連する技術としては、登録実用新案第３１１７５０６号公報「ペンライト」（特許文献１）、登録実用新案第３１１９０８０号公報「ペンライト」（特許文献２）がある。
【０００３】
特許文献１には、電池を収納可能な筒体に貼り付けるシールに個人情報が記載され、ペンライト本体の周面に、中を開けて見るよう指示するメッセージが記載され、所有者が不慮の事故に遭遇したときの治療に必要な情報を提供するペンライトが記載されている。
特許文献２には、使用時以外のときにスイッチがＯＮになるのを防ぐ構造を備えたペンライトが記載されている。
【０００４】
また、外出先で本を読む際に用いるライトとして、本の表紙に取り付け可能で、ライトの向きを調整してページを照らすブックライトもあった。
【先行技術文献】
【特許文献】
【０００５】
【特許文献１】登録実用新案第３１１７５０６号公報
【特許文献２】登録実用新案第３１１９０８０号公報
【考案の概要】
【考案が解決しようとする課題】
【０００６】
しかしながら、従来の懐中電灯やペンライトは、片手で持って使用するものであり、例えば、手帳に書き込みを行う場合には、一方の手に手帳、他方の手にペンを持つため、ライトを保持することができず、使い勝手が悪いという問題点があった。
【０００７】
また、従来のブックライトは、比較的大型であって、本の表紙に取り付けるものであり、本のページに取り付けることは想定されておらず、本を閉じた際にしおりとして機能するものではなく、不便であるという問題点があった。
【０００８】
本考案は上記実状に鑑みて為されたもので、持ち運びが容易で、使用時にはユーザが保持していなくても本や手帳のページに取り付けて所望の場所を照らすことができると共に、非使用時には、しおりとして用いることができ、利便性を向上させることができる人形型ライトを提供することを目的とする。
【課題を解決するための手段】
【０００９】
上記従来例の問題点を解決するための本考案は、人形型のライトであって、ＬＥＤライトを有する頭部と、首部と、胴体部と、腕部と、脚部とを備え、腕部と胴体部との間に隙間部を備え、ＬＥＤライトの照射方向が調整可能となるよう、少なくとも胴体部が曲げ伸ばし可能であることを特徴としている。
【００１０】
また、本考案は、上記人形型ライトにおいて、左右の腕部が、それぞれ独立に曲げ伸ばし可能であることを特徴としている。
【００１１】
また、本考案は、上記人形型ライトにおいて、ＬＥＤライトは、人形の目に相当する部分に２個設けられていることを特徴としている。
【００１２】
また、本考案は、上記人形型ライトにおいて、ＬＥＤライトをオン／オフするスイッチは、頭部の、前記ＬＥＤが設けられている面の裏側に設けられていることを特徴としている。
【００１３】
また、本考案は、上記人形型ライトにおいて、人形の胴体部、腕部及び脚部の内部に曲げ伸ばし可能な金属板が埋め込まれていることを特徴としている。
【００１４】
また、本考案は、上記人形型ライトにおいて、胴体部に設けられている金属板は、中央部に穴が形成されていることを特徴としている。
【考案の効果】
【００１５】
本考案によれば、ＬＥＤライトを有する頭部と、首部と、胴体部と、腕部と、脚部とを備え、腕部と胴体部との間に隙間部を備え、ＬＥＤライトの照射方向が調整可能となるよう、少なくとも胴体部が曲げ伸ばし可能である人形型ライトとしているので、腕部と胴体部との間に、本や手帳のページを挟んで本人形型ライトを本や手帳に固定でき、胴体部を曲げて前傾させることにより、ＬＥＤライトの光を本や手帳のページに当てることができ、ユーザが手で保持していなくても見たいページを照らすことができると共に、非使用時にはしおりとして用いることができ、利便性を向上させることができる効果がある。
【００１６】
また、本考案によれば、左右の腕部が、それぞれ独立に曲げ伸ばし可能である上記人形型ライトとしているので、例えば、片腕を少し浮かせておき、めくったページを浮かせた腕に挟み込む、といった使い方ができ、ページをめくる度に本ライトを付け替える必要がなく、利便性を向上させることができる効果がある。
【００１７】
また、本考案によれば、ＬＥＤライトは、人形の目に相当する部分に２個設けられている上記人形型ライトとしているので、ユーモラスであり、ユーザが楽しい気分で使用することができる効果がある。
【００１８】
また、本考案によれば、人形の胴体部、腕部及び脚部の内部に曲げ伸ばし可能な金属板が埋め込まれている上記人形型ライトとしているので、本ライトの強度を高めると共に、曲げ伸ばしした形状を維持することができる効果がある。
【００１９】
また、本考案によれば、胴体部に設けられている金属板は、中央部に穴が形成されている上記人形型ライトとしているので、軽量化を図ると共に、胴体部の金属板を小さい力でも曲げ伸ばし可能とすることができる効果がある。
【図面の簡単な説明】
【００２０】
【図１】本考案の実施の形態に係る人形型ライトの概略構成を示す正面図である。
【図２】金属板の形状を示す模式説明図である。
【図３】ライトユニットの構成を示す模式説明図であり、（ａ）は正面側から見た斜視図、（ｂ）は裏面側から見た斜視図である。
【図４】本ライトの側断面の説明図である。
【図５】本ライトの使用例を示す説明図である。
【考案を実施するための形態】
【００２１】
本考案の実施の形態について図面を参照しながら説明する。
［実施の形態の概要］
本考案の実施の形態に係る人形型ライトは、頭部と、首部と、胴体部と、腕部と、脚部とを備えた人形型であり、頭部には、ＬＥＤライトを備え、少なくとも胴体部が曲げ伸ばし可能（ベンダブル）で、それによってＬＥＤライトの照射方向が調整可能となっており、胴体部と腕部との間の隙間部に、本や手帳のページを挟むことにより、本や手帳に当該人形型ライトを取り付けることができ、その状態で胴体部を曲げて前傾させて、ＬＥＤライトの光を本や手帳のページに向けて所望の場所を照らすことができ、更に、ＬＥＤライトをオフにしても、そのまましおりとして使用することができ、携帯用ライトの使い勝手を向上させることができるものである。
【００２２】
［実施の形態に係る人形型ライトの概略構成：図１］
実施の形態に係る人形型ライトの概略構成について図１を用いて説明する。図１は、本考案の実施の形態に係る人形型ライトの概略構成を示す正面図である。
本考案の実施の形態に係る人形型ライト（本ライト）は、図１に示す本体１０と、図１では示されていないが、本体１０の頭部の背面側に取り付けられたライトユニットとを備えている。
ライトユニットには、ＬＥＤ、電池、スイッチが設けられており、後で詳述する。
【００２３】
本体１０の構成について説明する。
図１に示すように、本体１０は、シリコーン樹脂等の曲げ伸ばし可能な素材で薄く形成されており、頭部１と、首部２と、胴体部３と、右腕部４１と、左腕部４２と、右脚部５１と、左脚部５２とを備えた人形型である。
頭部１の背面側には、ライトユニットをはめ込んで固定する収納部が設けられている。収納部については後述する。
【００２４】
また、本体１０の内部には、曲げ伸ばし可能な金属板が埋め込まれており、本体の強度を高めると共に、本体１０を曲げて変形させた際に、その形状を維持するものである。金属板については後述する。
【００２５】
そして、頭部１の一方の面（顔面に相当する面）の、人形の目に相当する位置に２つのＬＥＤ６１，６２が設けられている。
具体的には、ＬＥＤ６１,６２は、後述するライトユニットに取り付けられており、発光部が、頭部１の目の位置に形成された穴から露出して光を放射するものである。
【００２６】
本ライトの右腕部４１と左腕部４２は、付け根部分から先端に向かって若干湾曲した形状に形成されている。
そして、右腕部４１、左腕部４２と、胴体部３との間には、先端部分（手の部分）まで続く隙間部４３，４４が形成され、各腕部は、付け根以外の部分は胴体部３から切り離された状態となっている。
【００２７】
本ライトを本や手帳に取り付ける際には、右腕部４１、左腕部４２をやや前方に出して、各腕部４１，４２と胴体部３との間の隙間部４３，４４にページを挟み、右腕部４１、左腕部４２でページを押さえるようにして固定する。
腕部４１，４２及び隙間部４３,４４は、隙間部４３,４４に本や手帳の１ページ〜数ページを挟んで本体１０を本や手帳に固定しやすい形状に形成されている。
本ライトは、軽量であるため、本や手帳の表紙ではなく、ページに直接取り付けることが可能であり、しおりとしての機能も備えている。
【００２８】
また、図１の例では、頭部１のＬＥＤ６１，６２が設けられた面に同じ素材で凸形状又は凹形状に口が形成されており、人形の顔に表情を与えている。
口だけではなく、眉や汗等を形成することにより、様々な表情の顔とすることができ、ユーザが好みに応じて選択できるものである。
【００２９】
［金属板の構成：図２］
次に、金属板の構成について図２を用いて説明する。図２は、金属板の形状を示す模式説明図である。
図２に示すように、金属板１１は、シリコーン樹脂製の本体の内部に芯として埋め込まれており、曲げ伸ばし可能な厚さの軽量の金属で構成されている。金属板１１は、頭部１から、首部２、胴体部３、右腕部４１、左腕部４２、右脚部５１、左脚部５２に亘って一体に形成されており、金属板１１によって、本体１０の各部を前後に自在に曲げたり伸ばしたりでき、変形させた状態をそのまま保持することができるものである。
【００３０】
本ライトでは、胴体部３、左右の腕部４１，４２及び左右の脚部５１，５２は、それぞれ独立して曲げ伸ばして形を変えることができ、後述するように種々の変形を可能として、用途を拡大することができるものである。
また、頭部１にライトユニットを組み込むため、その頭部１を容易につまんで曲げ伸ばしする機会が多くなり、首部２の金属板１１に負担が掛かって折れ易くなることを防止するために、収納部１５から人形の背中にかけてシリコンをテーパー状にして（図４参照）厚みを持たせている。これにより、首部２での曲げ伸ばしができない構成となっている。
【００３１】
また、金属板１１は、胴体部３に相当する部分の中央部に縦長の穴部１２を備えている。
穴部１２を設けることにより、胴体部３における金属板１１の幅が広くなり過ぎないようにして、胴体部３を小さい力でも容易に曲げ伸ばし可能としている。穴の形状や数は、これに限るものではない。
尚、本実施の形態では、金属板１１が本体１の頭部１の先端を除く全体に入っている例を示しているが、用途を限定すれば、脚部５１，５２に入っていない構成としてもよい。
【００３２】
［ライトユニットの構成：図３］
次に、本ライトのライトユニットの構成について図３を用いて説明する。図３は、ライトユニットの構成を示す模式説明図であり、（ａ）は正面側から見た斜視図、（ｂ）は裏面側から見た斜視図である。
図３（ａ）（ｂ）に示すように、ライトユニット７０は、ＡＢＳ（acrylonitrile butadiene styrene copolymer）樹脂製の円筒形のユニット本体７１を備え、ユニット本体７１の円筒の内部に、部品が搭載された基板が設けられている。
【００３３】
基板には、ＬＥＤ６１，６２と、ＬＥＤ６１,６２に電力を供給するボタン型の電池及び配線が取り付けられている。
ＬＥＤ６１，６２の発光部は、ユニット本体７１の底面部（図３（ａ）において手前側の面）から突出するように配置されている。
【００３４】
また、図３（ｂ）に示すように、ユニット本体７１は、裏面側に開口部を備え、開口部を覆う蓋７３が設けられ、蓋７３には、スライド式のスイッチ７４が設けられている。
電池とＬＥＤ６１，６２とスイッチ７４とは配線によって接続されており、スイッチ７４をオン／オフすることにより、ＬＥＤ６１,６２を点灯／消灯する。
また、蓋７３は、開閉可能であり、電池の交換を行うことができるようになっている。
【００３５】
［側断面の概略構成：図４］
次に、本ライトの側断面の概略構成について図４を用いて説明する。図４は、本ライトの側断面の説明図である。
図４に示すように、本ライトでは、頭部の背面部にライトユニット７０を収納する円形の凹部を備えた収納部１５が形成されている。収納部１５は、本体１０と一体に形成される。
凹部の底面部は、金属板１１の頭部部分が露出するように形成してもよい。
【００３６】
円形の凹部は、内部にライトユニット７０を収納可能で、ライトユニット７０の外周と同程度又はやや大きく形成されている。
また、凹部の入口部分の縁は、ライトユニット７０の外周部より少し小さく、且つ収納されたライトユニット７０の蓋７３の面よりも高くなるように形成され、ライトユニット７０の外周部分を保護し、飛び出しを防いでいる。
【００３７】
収納部１５はシリコーン樹脂で形成されているため、凹部の外周がライトユニット７０より小さくても、収納部１５を変形させてライトユニット７０を収納することができるものである。
また、収納部１５の下側はなだらかな曲線に形成されており、首部２及び胴体部３の背面と滑らかに接続されている。
【００３８】
そして、ライトユニット７０は、ＬＥＤ６１，６２の発光部が、本体１０の目の位置に設けられた穴から正面側に露出するよう収納部１５の凹部にはめ込まれ、接着剤によって凹部の底面部に接着固定されている。
また、ライトユニット７０のＬＥＤ６１，６２が突出している面には、本体１０の頭部に設けられた金属板１１が収納される溝を形成しておき、ライトユニット７０を収納した場合に、本体１０の顔面部分に金属板１１による凹凸が生じないようにしてもよい。
【００３９】
［ライトユニット７０の内部］
ライトユニット７０の内部について説明する。
図４に示すように、ライトユニット７０は、内部に基板７２を備え、基板７２の一方の面（本体１０に収納された際に正面側となる面）に、ＬＥＤ６１，６２が設けられ、基板７２の他方の面（本体１０に収納された際に背面側となる面）にスイッチ７４に接続する電極及び電池７５が搭載されている。
【００４０】
［本ライトの使用例：図５］
次に、本ライトの使用例について図５を用いて説明する。図５は、本ライトの使用例を示す説明図である。尚、図５では、説明を容易にするため、本ライトについて細部を省略している。
図５（ａ）は、本ライトを本に取り付けてブックライトとして使用している状態を示している。上述したように、右腕部４１、左腕部４２と胴体部３との間の隙間部４３，４４に本のページを挟み、両腕部４１，４２で当該ページを押さえた状態としている。
これにより、本ライトを本のページに固定でき、更に、胴体部３を前傾させることにより、ＬＥＤ６１,６２の光を所望の場所に照射できるものである。
【００４１】
このように、本ライトは本や手帳に固定できるため、ユーザは両手が自由に使え、特に手帳に書き込みを行う場合などに便利である。
特に、本ライトは人形型であるため、人が本を覗き込んでいるように見え、ユーモラスでかわいらしく、ユーザは楽しい気分で使用することができる。
【００４２】
更に、左右の腕部が別々に自由に曲げられるので、例えば右開きの本の場合、右側のページに本ライトを取り付け、その際に、本の外側寄りの腕（図５（ａ）の例では左腕部）を若干浮かせた状態にしておき、左側のページを右側にめくった場合に、めくったページを浮かせた左腕部の下に差し込むようにしてもよい。
このようにすると、ページをめくるたびに本ライトを別のページに付け替える作業を行わなくても本を読み進めることができ、使い勝手を向上させることができるものである。
【００４３】
また、本を閉じた場合には、図５（ｂ）のようにＬＥＤライトを消して、本体をまっすぐに伸ばすと、頭部１以外は薄い板状になるため、しおりとして使用することができ、持ち運びにも便利である。
【００４４】
更に、図５（ｃ）のように、両脚部５１，５２を曲げて、両腕部４１，４２を後ろに引いて本体を座らせると、置き型のライトとしても使用することができるものである。
この他、本体が自在に変形可能であることを利用して、例えば束ねたコードを押さえたり、カードスタンドとしたり、ライト以外としての用途も考えられる。
【００４５】
［実施の形態の効果］
本考案の実施の形態に係る人形型ライトによれば、頭部１に、ＬＥＤ６１，６２を備え、また、本体１の内部に曲げ伸ばし可能な金属板１１を備え、本体１を任意の角度に曲げて変形させることで、ＬＥＤ６１，６２の照射方向を調整可能とし、胴体部３と腕部４１，４２との間の隙間部４３，４４に、本や手帳のページを挟んで、本や手帳に当該人形型ライトを取り付けて使用でき、その状態で胴体部３を曲げて前傾させて、ＬＥＤ６１，６２の光を本や手帳のページに向けて所望の場所を照らすことができ、また、本を閉じた場合には、本体１をまっすぐ伸ばせばそのまましおりとして使用することができ、持ち運びが容易で、使用時にユーザが保持しなくて済み、携帯用ライトの使い勝手を向上させることができるものである。
【００４６】
また、本考案の実施の形態に係る人形型ライトによれば、金属板１１が本体１の内部に埋め込まれているので、任意の角度に曲げたり伸ばしたりすることができ、ブックライトに限定されない種々の用途に用いることができる効果がある。
【００４７】
また、本ライトによれば、胴体部３に入っている金属板１１には縦長の穴が形成されているので、金属板１１の幅が広くなりすぎるのを防ぎ、胴体部３の曲げ伸ばしを容易にする効果がある。
【００４８】
更に、本ライトによれば、顔の部分に口や眉等のパーツを形成することにより、顔の表情が異なる人形型ライトとすることができ、ユーザの選択の幅を広げることができる効果がある。
【産業上の利用可能性】
【００４９】
本考案は、手帳や本のページに取り付け可能で、ユーザが保持しなくても手帳や本の所望の場所を照らすことができると共に、しおりとしても用いることができ、利便性を向上させることができる人形型ライトに適している。
【符号の説明】
【００５０】
１...頭部、  ２...首部、  ３胴体部、  １０...本体、  １１...金属板、  １２...穴部、  １５...収納部、  ４１...右腕部、  ４２...左腕部、  ４３，４４...隙間部、  ５１...右脚部、  ５２...左脚部、  ６１,６２...ＬＥＤ、  ７０...ライトユニット、  ７１...ユニット本体、  ７２...基板、  ７３...蓋、  ７４...スイッチ、  ７５...電池
【図１】
0003182476.tif 000003
【図２】
0003182476.tif 000004
【図３】
0003182476.tif 000005
【図４】
0003182476.tif 000006
【図５】
0003182476.tif 000007